(57)【要約】      （修正有）【課題】防眩性を誰が評価しても同じ評価が得られ、しかも目視による官能評価と整合していることが容易に行える防眩性検査装置及びその方法を提供する。【解決手段】ワーク５を照明する照明装置７と、ワークを撮影するカメラ６と、データ処理装置８とを備え、データ処理装置は、カメラから照明が写り込んだワークの画像を取り込む手段と、照明が写り込んだワークの画像を２値化する手段と、２値化画像の白の２値化画素数に基づいて防眩性レベルを評価する手段とを備えることを特徴とする防眩性検査装置。【選択図】図１
2015175821.tif 000002
【特許請求の範囲】
【請求項１】
ワークを照明する照明装置と、ワークを撮影するカメラと、データ処理装置とを備え、
データ処理装置は、カメラから照明が写り込んだワークの画像を取り込む手段と、照明が写り込んだワークの画像を２値化する手段と、２値化画像の白の２値化画素数に基づいて防眩性レベルを評価する手段とを備えることを特徴とする防眩性検査装置。
【請求項２】
照明が写り込んだワークの画像を２値化する閾値が２つあり、防眩性レベルを評価するのに基づく２値化画像の白の２値化画素数が、低い閾値で２値化した２値化画像から高い閾値で２値化した２値化画像を引いた差の２値化画像の白の２値化画素数であることを特徴とする請求項１記載の防眩性検査装置。
【請求項３】
ワークを照明する照明装置とワークを撮影するカメラと共に防眩性検査装置を構成するデータ処理装置が実行する方法であって、
カメラから照明が写り込んだワークの画像を取り込む工程と、照明が写り込んだワークの画像を２値化する工程と、２値化画像の白の２値化画素数に基づいて防眩性レベルを評価する工程とを含むことを特徴とする防眩性検査方法。
【請求項４】
照明が写り込んだワークの画像を２値化する閾値が２つあり、防眩性レベルを評価するのに基づく２値化画像の白の２値化画素数が、低い閾値で２値化した２値化画像から高い閾値で２値化した２値化画像を引いた差の２値化画像の白の２値化画素数であることを特徴とする請求項３記載の防眩性検査方法。
【請求項５】
ワークを照明する照明装置とワークを撮影するカメラと共に防眩性検査装置を構成するデータ処理装置に、
カメラから照明が写り込んだワークの画像を取り込む工程と、照明が写り込んだワークの画像を２値化する工程と、２値化画像の白の２値化画素数に基づいて防眩性レベルを評価する工程とを実行させることを特徴とする防眩性検査プログラム。
【請求項６】
照明が写り込んだワークの画像を２値化する閾値が２つあり、防眩性レベルを評価するのに基づく２値化画像の白の２値化画素数が、低い閾値で２値化した２値化画像から高い閾値で２値化した２値化画像を引いた差の２値化画像の白の２値化画素数であることを特徴とする請求項５記載の防眩性検査プログラム。
【発明の詳細な説明】
【技術分野】
【０００１】
本発明は、防眩性を検査する防眩性検査装置、方法、及びプログラムに関する。
【背景技術】
【０００２】
液晶テレビ、スマートフォン、タブレットなどのディスプレイの最表面には、視認性を向上させるために、反射防止フィルムが貼られている。
【０００３】
反射防止フィルムには、入射光を散乱させることにより防眩性を持たせたＡＧ（Ａｎｔｉ  Ｇｌａｒｅ）や反射光を干渉させて反射光を低減させたＬＲ（Ｌｏｗ−Ｒｅｆｌｅｃｔｉｏｎ）などがある。
【０００４】
反射防止フィルムのＡＧ製品の光学特性には、「ヘイズ」「透過率」「光沢度」「画像鮮明度」などがあり、それらが防眩性の品質管理項目として一定の規格値を設けて生産されている。
【０００５】
しかし、それら一定の規格値のもとＡＧ製品を生産した同等品であっても、製造ロットなどが異なるものなどでは、フィルムの外観（フィルムに写り込んだ照明等の見え方）を目視にて確認すると、見た目が異なるといった現象が発生する。
【０００６】
そこで防眩性を評価する前述した光学特性以外の指標として、フィルム外観（フィルムに写り込んだ照明の見え方）の目視による官能評価がある。
【０００７】
この目視による官能評価は、［１］写り込んだ照明の拡がりの大きさ（照明輪郭部からの光の拡がり）、［２］写り込んだ照明の輪郭の鮮明度（照明輪郭線の鮮明さ）、［３］ブラック視感（写り込んだ照明がない部分のグレー度合い）のいずれか一つの方法、或いは、複数の方法を組み合わせて、防眩性レベルを、１刻みに評価するものである。
【０００８】
そして、規格下限の値を例えば−２、規格上限の値を例えば＋２と定めて、防眩性レベルが、規格下限の値以上、かつ規格上限の値以下の場合、規格内でＯＫとし、規格下限の値より小さい、又は、規格上限の値より大きい場合、規格外でＮＧとしている。
【０００９】
しかしながら、上述の［１］、［２］、［３］のいずれの方法を重視し、いずれの方法を用いて評価するかは、各メーカーによって異なるために、同じサンプルを評価しても、評価結果は、各メーカーによって異なることがある。
【００１０】
また、上述の［１］、［２］、［３］のいずれの方法を重視し、いずれの方法を用いて評価するかを定めたとしても、目視による官能評価であるため、人により評価のバラツキが生じる可能性がある。
【００１１】
ところで、特許文献１では、防眩性の効果を定量化し、目視による感応試験との整合性が図れるようにすることを目的として、評価対象の防眩処理したフィルム面の法線に対して等角度の位置に、マスクにより光源の大きさが制御される拡散性の光源とＣＣＤカメラとを配置し、前記光源からの光をマスクの窓を通して防眩処理したフィルム面に映り込ませ、前記マスクにピントを合わせるとともに、同一サンプルに対して反射像の輝度のピーク値が一定になるように調節された絞りを介して前記防眩処理したフィルムからの正反射画像を前記ＣＣＤカメラにより取り込み、取り込んだ画像データの輝度分布曲線を９次の多項式により平滑化して回帰曲線を求め、該回帰曲線の２次微分から変曲点を求めるとと
もに、求めた変曲点の１次微分値から回帰曲線の最大傾斜角度を求め、該最大傾斜角度の値により防眩性を評価する方法が記載されている。
【００１２】
しかしながら、特許文献１の防眩性を評価する方法は、カメラと照明との角度を可変としており、また複雑なアルゴリズムで処理を行うために処理スピードの関係で処理エンジンがハイスペックとなり高額になるという欠点を有する。
【先行技術文献】
【特許文献】
【００１３】
【特許文献１】特許第４２９７４５７号公報
【発明の概要】
【発明が解決しようとする課題】
【００１４】
本発明は、このような事情を考慮してなされたもので、防眩性レベルを誰が評価しても同じ評価が得られ、しかも目視による官能評価と整合していることが容易に行えることを課題とする。
【課題を解決するための手段】
【００１５】
本発明において上記課題を解決するために、まず請求項１の発明では、ワークを照明する照明装置と、ワークを撮影するカメラと、データ処理装置とを備え、
データ処理装置は、カメラから照明が写り込んだワークの画像を取り込む手段と、照明が写り込んだワークの画像を２値化する手段と、２値化画像の白の２値化画素数に基づいて防眩性レベルを評価する手段とを備えることを特徴とする防眩性検査装置としたものである。
【００１６】
また請求項２の発明では、照明が写り込んだワークの画像を２値化する閾値が２つあり、防眩性レベルを評価するのに基づく２値化画像の白の２値化画素数が、低い閾値で２値化した２値化画像から高い閾値で２値化した２値化画像を引いた差の２値化画像の白の２値化画素数であることを特徴とする請求項１記載の防眩性検査装置としたものである。
【００１７】
また請求項３の発明では、ワークを照明する照明装置とワークを撮影するカメラと共に防眩性検査装置を構成するデータ処理装置が実行する方法であって、
カメラから照明が写り込んだワークの画像を取り込む工程と、照明が写り込んだワークの画像を２値化する工程と、２値化画像の白の２値化画素数に基づいて防眩性レベルを評価する工程とを含むことを特徴とする防眩性検査方法としたものである。
【００１８】
また請求項４の発明では、照明が写り込んだワークの画像を２値化する閾値が２つあり、防眩性レベルを評価するのに基づく２値化画像の白の２値化画素数が、低い閾値で２値化した２値化画像から高い閾値で２値化した２値化画像を引いた差の２値化画像の白の２値化画素数であることを特徴とする請求項３記載の防眩性検査方法としたものである。
【００１９】
また請求項５の発明では、ワークを照明する照明装置とワークを撮影するカメラと共に防眩性検査装置を構成するデータ処理装置に、
カメラから照明が写り込んだワークの画像を取り込む工程と、照明が写り込んだワークの画像を２値化する工程と、２値化画像の白の２値化画素数に基づいて防眩性レベルを評価する工程とを実行させることを特徴とする防眩性検査プログラム。
【００２０】
また請求項６の発明では、照明が写り込んだワークの画像を２値化する閾値が２つあり、防眩性レベルを評価するのに基づく２値化画像の白の２値化画素数が、低い閾値で２値化した２値化画像から高い閾値で２値化した２値化画像を引いた差の２値化画像の白の２値化画素数であることを特徴とする請求項５記載の防眩性検査プログラムとしたものである。
【発明の効果】
【００２１】
本発明は、防眩性レベルを誰が評価しても同じ評価が得られ、しかも目視による官能評価と整合していることが容易に行えるという効果がある。
【図面の簡単な説明】
【００２２】
【図１】本発明の一実施形態の防眩性検査装置の扉を開けた時の正面図。
【図２】データ処理装置のハードウエア構成を示す図。
【図３】ステージの構成の説明図であって、（ａ）はワーク押さえ上板の平面図、（ｂ）はワークの平面図、（ｃ）はワーク押さえ下板の平面図、（ｄ）はワークをワーク押さえ上板とワーク押さえ下板とで挟み樹脂製ローレットネジで固定した時のステージの正面図。
【図４】カメラと照明装置との設置位置関係を示す図。
【図５】照明が写り込んだワークの画像の中で検査エリアを示す図。
【図６】照明が写り込んだワークの検査エリア内の画像を示す図。
【図７】防眩性レベルが規格下限のサンプル、防眩性レベルが規格上限のサンプル、それぞれについて、写り込んだ照明の部分の輝度が飽和するようにシャッタースピードを遅くして撮影して得た照明が写り込んだ検査エリア内の画像を示す図。
【図８】図７に示す防眩性レベルが規格下限及び上限のサンプルの画像について図７の任意のＹ軸と平行な縦ライン上の輝度分布を示すグラフ。
【図９】図７に示す防眩性レベルが規格下限及び上限のサンプルの画像を２値化した２値化画像を示す図。
【図１０】各基準サンプルの白の２値化画素数を示す表。
【図１１】各基準サンプルの白の２値化画素数を示すグラフ。
【図１２】防眩性レベルが±３で規格外（ＮＧ）のサンプル、防眩性レベルが０で規格内（ＯＫ）のサンプルについて、照明が写り込んだ検査エリア内の画像と２値化画像とを示す図。
【図１３】防眩性レベルが規格下限のサンプル、防眩性レベルが規格上限のサンプル、それぞれについて、写り込んだ照明の部分の輝度が飽和しないようにシャッタースピードを速くして撮影して得た照明が写り込んだ検査エリア内の画像を示す図。
【図１４】図１３に示す防眩性レベルが規格下限及び上限のサンプルの画像について図１３の任意のＹ軸と平行な縦ライン上の輝度分布を示すグラフ。
【図１５】図１３に示す防眩性レベルが規格下限及び上限のサンプルの画像について、閾値（１）は、高い閾値（１）で２値化した２値化画像、閾値（２）は、低い閾値（２）で２値化した２値化画像、（２）−（１）は、低い閾値（２）で２値化した２値化画像から高い閾値（１）で２値化した２値化画像を引いた差の２値化画像を示す図。
【図１６】各サンプルについて、目視で官能評価された防眩性レベル（目視評価防眩Ｌｖ．）、規格内外であるかの合否、高い閾値（１）で２値化した２値化画像、低い閾値（２）で２値化した２値化画像、低い閾値（２）で２値化した２値化画像から高い閾値（１）で２値化した２値化画像を引いた差の２値化画像、それぞれについて白の２値化画素数を示す表。
【図１７】各サンプルについて、目視で官能評価された防眩性レベル（目視評価防眩Ｌｖ．）、低い閾値（２）で２値化した２値化画像の白の２値化画素数を示すグラフ。
【図１８】各サンプルについて、目視で官能評価された防眩性レベル（目視評価防眩Ｌｖ．）、低い閾値（２）で２値化した２値化画像から高い閾値（１）で２値化した２値化画像を引いた差の２値化画像の白の２値化画素数を示すグラフ。
【図１９】防眩性レベル評価処理の流れの例を示すフローチャート。
【発明を実施するための形態】
【００２３】
以下に、本発明の一実施形態を説明する。
【００２４】
本実施形態の防眩性検査装置は、図１に示すように、ボックス９と、データ処理装置８とを備える。
【００２５】
ボックス９は、図１に示すように、その内部の底に、ワーク５を固定するステージ４が設置され、その内部の天井に、ワーク５を照明する照明装置７と、照明装置７からの照明が写り込んだワーク５を撮影して、照明装置７からの照明が写り込んだワーク５の画像を得るカメラ６が設置され、さらに、その内部を開け閉めする扉１０を備える。
【００２６】
ボックス９は、光の反射を抑えるために黒色の部材で構成されている。
【００２７】
データ処理装置８は、パソコン等のコンピュータであって、図２に示すように、中央処理装置と、主記憶装置と、補助記憶装置と、キーボード、マウス、タッチパネル等の入力装置と、ディスプレイ等の出力装置とを備え、カメラ６に接続されている。
【００２８】
データ処理装置８は、その補助記憶装置に、防眩性検査プログラムを保存しており、この防眩性検査プログラムを主記憶装置にロードして、中央処理装置が実行することによって、カメラ６に、照明装置７からの照明が写り込んだワーク５を撮影させ、カメラ６から、照明装置７からの照明が写り込んだワーク５の画像を、その主記憶装置に取り込んで、ワーク５の防眩性レベルを評価してワーク５の防眩性を検査する。
【００２９】
ワーク５は、防眩性の検査対象物であって、例えば、液晶テレビ、スマートフォン、タブレット等のディスプレイの最表面に使用される反射防止フィルムが挙げられる。
【００３０】
ステージ４は、図１及び図３（ｄ）に示すように、樹脂製ローレットネジ１と、ワーク押さえ上板２と、ワーク押さえ下板３とを備える。
【００３１】
ワーク押さえ上板２は、図３（ａ）に示すように、中心部のくり抜き１１と、穴Ａ’と、穴Ｂ’と、穴Ｃ’とを有する。
【００３２】
ワーク押さえ下板３は、図３（ｃ）に示すように、穴Ａと、穴Ｂと、穴Ｃとを有する。
【００３３】
ワーク押さえ下板３の穴Ａは、樹脂製ローレットネジ１と噛み合うねじ山を有する。
【００３４】
ワーク押さえ上板２の穴Ｂ’と、ワーク押さえ下板３の穴Ｂとで、ワーク押さえ上板２とワーク押さえ下板３との位置合わせをしながら、図１及び図３（ｄ）に示すように、ワーク５を、ワーク押さえ上板２とワーク押さえ下板３で挟み、樹脂製ローレットネジ１を、ワーク押さえ上板２の穴Ａ’に通して、ワーク押さえ下板３の穴Ａのねじ山に噛み合わせて、樹脂製ローレットネジ１を締めることによって、ワーク５をステージ４に固定する。
【００３５】
このように、ワーク５をステージ４に固定することで、ワーク５をフラットにし、ワーク５が撓むことにより照明の写り込みが変化することを防止できる。
【００３６】
ボックス９の内部の底のステージ４設置位置には、ピン（図示せず）が立てられており、このピンを、ワーク押さえ下板３の穴Ｃと、ワーク押さえ上板２の穴Ｃ’とに嵌めることで、ワーク５の位置と方向とが一定に保たれる。
【００３７】
このように、ワーク５の方向を一定に保つことで、ワーク５の方向が変化することにより照明の写り込みが変化することを防止できる。
【００３８】
ワーク押さえ下板３のワーク５を載置する面には、ワーク５を繰り返し貼り剥がし可能な粘着材が設けられており、この粘着材によってワーク５にカール（反り）があってもワーク５をワーク押さえ下板３にフラットに貼り付けることができる。このような、粘着材としては、例えば、微粘着のウレタンゲルやシリコーンゴムが挙げられる。
【００３９】
ワーク５が透明である場合、ワーク押さえ下板３のワーク５を載置する面を黒色とすることで、この面に設けられている粘着材で、ワーク５が、この面に密着していることと相俟って、ワーク５の裏面の反射を低減できる。
【００４０】
尚、ステージ４は、ワーク５をフラットにする機構の一例であって、ワーク５をフラットにできれば他の機構であっても構わない。また、ボックス９の内部の底のステージ４設置位置に設けるピンと、ステージ４とは、ワーク５の方向を一定にする機構の一例であって、ワーク５の方向を一定にできれば他の機構であっても構わない。さらに、ワーク５がフラットであれば、ワーク５をフラットにする機構は不要である。
【００４１】
カメラ６は、１視野画像内での焦点ズレ発生を抑えるために、図４に示すように、ワーク５に対して設置角度を０度、すなわち、ワーク５表面とカメラ６の向きとを９０度にして設置される。
【００４２】
照明装置７に関しては特に角度は指定しないが、図４のように、ワーク５に対して設置角度を０度にする場合、干渉を防ぐため、カメラ６と照明の軸をずらして設置する。
【００４３】
このとき、カメラ視野の中心からカメラ筐体分ずれて照明が写りこむため、カメラ６のレンズにはなるべくレンズひずみの影響が少ないものを選択する方が好ましい。
【００４４】
検査エリアとする範囲は、レンズによる画像ひずみのない部分とする。もしくは、防眩性検査プログラムで画像処理を行いレンズによる画像ひずみを校正するとよい。
【００４５】
照明には額縁またはパターンを持った均一な面発光を用いることでエッジ部が発生するので、写り込みの鮮明さ評価に効果的である。
【００４６】
防眩性検査プログラムにより、データ処理装置８は、カメラ６から、図５に示すような、カメラ６が撮影して得た照明が写り込んだワーク５の画像を取り込み、この画像から検査エリアを切り取って、図６に示すような、検査エリア内の画像を得、この検査エリア内の画像に対して、防眩性レベルの評価を行う。
【００４７】
防眩性レベルの評価方法には、
［１］写り込んだ照明の拡がりの大きさ（照明輪郭部からの光の拡がり）
［２］写り込んだ照明の輪郭の鮮明度（照明輪郭線の鮮明さ）
の二つがあり、防眩性検査プログラムにより、データ処理装置８は、いずれかの評価方法を選択させ、選択された評価方法で、防眩性レベルの評価を行う。
【００４８】
まず、［１］写り込んだ照明の拡がりの大きさ（照明輪郭部からの光の拡がり）による防眩性レベルの評価方法について説明する。
【００４９】
まず、防眩性レベルが規格下限のサンプルと、防眩性レベルが規格上限のサンプルを対象として、写り込んだ照明の拡がりの大きさについて評価を実施した。ここで、防眩性レベルの規格下限は、−２であり、防眩性レベルの規格上限は、＋２であって、各サンプルの防眩性レベルは目視で官能評価したものである。
【００５０】
図７に、防眩性レベルが規格下限のサンプル、防眩性レベルが規格上限のサンプル、それぞれについて、写り込んだ照明の部分の輝度が飽和するようにシャッタースピードを遅くして撮影して得た照明が写り込んだ検査エリア内の画像を示す。規格下限と規格上限のサンプルの画像を比較すると、規格上限の方が規格下限に比べ照明写りこみの拡がりが大きいことが分かる。
【００５１】
図８に、図７に示す防眩性レベルが規格下限及び上限のサンプルの画像について図７の任意のＹ軸と平行な縦ライン上の輝度分布を示す。図８に示す輝度分布から、規格上限のサンプルの画像の方が規格下限のサンプルの画像に比べ輝度分布はブロードであることがわかる。また、規格下限及び上限のいずれのサンプルも、輝度が２５０付近で飽和していることがわかる。
【００５２】
このような輝度分布の傾向から、一定の輝度閾値で画素を白黒に２値化し、白又は黒の２値化画素数を算出し、白又は黒の２値化画素数を比較することで拡がりの大きさについて数値評価することが可能である。ここで、２値化は、輝度閾値以上の輝度を有する画素を白とし、閾値未満の輝度を有する画素を黒とするか、或いは、輝度閾値より大きい輝度を有する画素を白とし、閾値以下の輝度を有する画素を黒とする。
【００５３】
例として、図７の規格下限及び規格上限のサンプルの画像をある閾値で白黒に２値化した２値化画像を図９に示す。図９を見ると、規格上限のサンプルの２値化画像の方が２値化された白の画素の面積が大きいことがわかる。このように規格下限及び規格上限においては、数値評価で防眩性レベルが評価可能である。
【００５４】
次に、基準サンプルを対象として、写り込んだ照明の拡がりの大きさついて評価を、規格下限及び規格上限のサンプルと同様に、写り込んだ照明の部分の輝度が飽和するようにシャッタースピードを遅くして撮影して実施した。
【００５５】
ここで、基準サンプルとは、目視で、防眩性レベルを、−４〜＋４まで、１刻みに設定したサンプルのことである。
【００５６】
図１０に各基準サンプルの白の２値化画素数の表を示し、図１１に各基準サンプルの白の２値化画素数のグラフを示す。
【００５７】
目視で官能評価された防眩性レベルと白の２値化画素数の関係は、防眩性レベルの上昇に伴い白の２値化画素数も増加する。
【００５８】
また、図１２に、防眩性レベルが±３で規格外（ＮＧ）のサンプル、防眩性レベルが０で規格内（ＯＫ）のサンプルについて、照明が写り込んだ検査エリア内の画像と２値化画像を示すが、白の２値化画素数に差があるのが分かる。
【００５９】
以上のように、写り込んだ照明の部分の輝度が飽和するようにシャッタースピードを遅くして撮影する場合、ワーク５の照明が写り込んだ検査エリア内の画像を２値化して白の２値化画素数を求め、この白の２値化画素数を、閾値で２値化した２値化画像の白の２値化画素数と防眩性レベルとを対応付ける表と対照することで、ワーク５の防眩性レベルを評価することが可能である。
【００６０】
また、写り込んだ照明の部分の輝度が飽和するようにシャッタースピードを遅くして撮影する場合、規格上下限での白の２値化画素数を決めることで、防眩性レベルが規格内でＯＫであるか規格外でＮＧであるかの合否の判定は可能である。
【００６１】
次に、［２］写り込んだ照明の輪郭の鮮明度（照明輪郭線の鮮明さ）による防眩性レベルの評価方法について説明する。
【００６２】
まず、防眩性レベルが規格下限のサンプルと、防眩性レベルが規格上限のサンプルを対象として、写り込んだ照明の輪郭の鮮明度について評価を実施した。ここで、防眩性レベルの規格下限は、−２であり、防眩性レベルの規格上限は、＋２であって、各サンプルの防眩性レベルは目視で官能評価したものである。
【００６３】
まず、図１３に、防眩性レベルが規格下限のサンプル、防眩性レベルが規格上限のサンプル、それぞれについて、写り込んだ照明の部分の輝度が飽和しないようにシャッタースピードを速くして撮影して得た照明が写り込んだ検査エリア内の画像を示す。規格下限と規格上限のサンプルの画像を比較すると、規格下限は規格上限に比べ照明輪郭が鮮明であることが分かる。
【００６４】
図１４に、図１３に示す防眩性レベルが規格下限及び上限のサンプルの画像について図１３の任意のＹ軸と平行な縦ライン上の輝度分布を示す。
【００６５】
規格上限の輝度分布と規格下限の輝度分布とを比較すると、規格下限の輝度分布は山の高さが高く裾野がシャープであり、規格上限の輝度分布は山の高さが低く裾野がブロードであることがわかる。
【００６６】
さらに、輝度分布は規格上限と規格下限で交わる点がある。
【００６７】
この交点を挟んで閾値を２つ（図１４に示す閾値（１）、閾値（２））設けて画素を白黒に２値化すると、図１５の閾値（１）に示すように、交点よりも輝度が高い閾値（１）で２値化した時は規格下限の方が規格上限よりも白の２値化画素数は大きく、図１５の閾値（２）に示すように、交点よりも輝度が低い閾値（２）で２値化した時は規格上限の方が規格下限よりも白の２値化画素数は大きくなる。
【００６８】
この結果、図１５の（２）−（１）に示すように、交点よりも輝度が低い閾値（２）で
２値化した２値化画像から、交点よりも輝度が高い閾値（１）で２値化した２値化画像を引いた差の２値化画像では、規格下限の方が規格上限よりも白の２値化画素数が少ない。そして、上述したように、規格下限は規格上限に比べ照明輪郭が鮮明である。
【００６９】
これより照明輪郭の鮮明度は、交点よりも輝度が低い閾値（２）で２値化した２値化画像から、交点よりも輝度が高い閾値（１）で２値化した２値化画像を引いた差の２値化画像により評価可能である。すなわち、この差の２値画像の白い画素数が少なければ、照明輪郭は鮮明である。
【００７０】
次に、実サンプルを対象として、写り込んだ照明の輪郭の鮮明度について評価を、規格下限及び上限のサンプルと同様に、写り込んだ照明の部分の輝度が飽和しないようにシャッタースピードを速くして撮影して実施した。
【００７１】
図１６に、各サンプルについて、目視で官能評価された防眩性レベル（目視評価防眩Ｌｖ．）、規格内外であるかの合否、高い閾値（１）で２値化した２値化画像、低い閾値（２）で２値化した２値化画像、低い閾値（２）で２値化した２値化画像から高い閾値（１）で２値化した２値化画像を引いた差の２値化画像、それぞれについて白の２値化画素数を示す表を示す。
【００７２】
また、図１７に、各サンプルについて、目視で官能評価された防眩性レベル（目視評価防眩Ｌｖ．）、低い閾値（２）で２値化した２値化画像の白の２値化画素数を示すグラフを示す。
【００７３】
さらに、図１８に、各サンプルについて、目視で官能評価された防眩性レベル（目視評価防眩Ｌｖ．）、低い閾値（２）で２値化した２値化画像から高い閾値（１）で２値化した２値化画像を引いた差の２値化画像の白の２値化画素数を示すグラフを示す。
【００７４】
図１６の表から明らかなように、サンプルＡ〜Ｆの目視で官能評価された防眩性レベルは、０〜＋１と、規格下限の−２と規格上限の＋２との間にあるため、規格内外であるかの合否は、規格内であるということでＯＫとなっている。他方、サンプルＧの目視で官能評価された防眩性レベルは、＋３と、規格上限の＋２を越えているため、規格内外であるかの合否は、規格外であるということでＮＧとなっている。
【００７５】
照明が写り込んだ検査エリア内の画像を、低い閾値（２）で２値化し、白の２値化画素数から防眩性レベルを評価することは、上述したように、［１］写り込んだ照明の拡がりの大きさ（照明輪郭部からの光の拡がり）による評価方法であるが、写り込んだ照明の部分の輝度が飽和しないようにシャッタースピードを速くして撮影した場合、図１７のグラフから明らかように、合否がＯＫのサンプルＡ〜Ｆと、合否がＮＧのサンプルＧとでは、低い閾値（２）で２値化した白の２値化画素数がほぼ同等であり区別は困難である。
【００７６】
一方、図１８のグラフから明らかように、低い閾値（２）で２値化した２値化画像から高い閾値（１）で２値化した２値化画像を引いた差の２値化画像の白の２値化画素数では、合否がＯＫのサンプルＡ〜Ｆと、合否がＮＧのサンプルＧとでは、白の２値化画素数に差があり、写り込んだ照明の輪郭の鮮明度の評価でＮＧとなるサンプルを区別することが可能である。
【００７７】
以上のように、写り込んだ照明の部分の輝度が飽和しないようにシャッタースピードを速くして撮影する場合、ワーク５の照明が写り込んだ検査エリア内の画像を２つの閾値（１）及び（２）２値化して、低い閾値（２）で２値化した２値化画像から高い閾値（１）で２値化した２値化画像を引いた差の２値化画像の白の２値化画素数を求め、この白の２値化画素数を、低い閾値（２）で２値化した２値化画像から高い閾値（１）で２値化した２値化画像を引いた差の２値化画像の白の２値化画素数と防眩性レベルとを対応付ける表と対照することで、ワーク５の防眩性レベルを評価することが可能である。
【００７８】
以上の２つの評価方法の説明から明らかなように、データ処理装置８の補助記憶装置には、［１］写り込んだ照明の拡がりの大きさ（照明輪郭部からの光の拡がり）の評価方法を行うのに必要なデータとして、閾値と、この閾値で２値化した２値化画像の白の２値化画素数と防眩性レベルとを対応付ける表（以後、第１の対応表とも云う）とが保存されている。
【００７９】
また、データ処理装置８の補助記憶装置には、［２］写り込んだ照明の輪郭の鮮明度（照明輪郭線の鮮明さ）の評価方法を行うのに必要なデータとして、高い閾値（１）と、低い閾値（２）と、低い閾値（２）で２値化した２値化画像から高い閾値（１）で２値化した２値化画像を引いた差の２値化画像の白の２値化画素数と防眩性レベルとを対応付ける表（以後、第２の対応表とも云う）とが保存されている。
【００８０】
また、データ処理装置８の補助記憶装置には、規格下限の防眩性レベルの値として−２、規格下限の防眩性レベルの値として＋２が保存されている。
【００８１】
以下に、防眩性検査プログラムにより、データ処理装置８が実行する防眩性レベル評価処理の流れの例を、図１９のフローチャートに従って説明する。
【００８２】
Ｓ（ＳＴＥＰ）１；
［１］写り込んだ照明の拡がりの大きさ（照明輪郭部からの光の拡がり）、［２］写り込んだ照明の輪郭の鮮明度（照明輪郭線の鮮明さ）のいずれの評価方法で評価を行うのかを入力装置で選択入力させる。
【００８３】
Ｓ（ＳＴＥＰ）２；
カメラ６で、照明装置７からの照明が写り込んだワーク５を撮影して、カメラ６から、照明が写り込んだワーク５の画像を取り込む。
【００８４】
Ｓ（ＳＴＥＰ）３；
照明が写り込んだワーク５の画像から検査エリアを切り取って、照明が写り込んだワーク５の検査エリア内の画像を得る。
【００８５】
Ｓ（ＳＴＥＰ）４；
［１］写り込んだ照明の拡がりの大きさ（照明輪郭部からの光の拡がり）、［２］写り込んだ照明の輪郭の鮮明度（照明輪郭線の鮮明さ）のいずれの評価方法が選択されたのかを判断し、
［１］写り込んだ照明の拡がりの大きさ（照明輪郭部からの光の拡がり）の評価方法が選択された場合は、ＳＴＥＰ５に進み、
他方、［２］写り込んだ照明の輪郭の鮮明度（照明輪郭線の鮮明さ）の評価方法が選択された場合は、ＳＴＥＰ８に進む。
【００８６】
Ｓ（ＳＴＥＰ）５；
補助記憶装置から閾値を読み出して、この閾値で、照明が写り込んだワーク５の検査エリア内の画像を２値化する。
【００８７】
Ｓ（ＳＴＥＰ）６；
照明が写り込んだワーク５の検査エリア内の２値化画像から、白の２値化画素数を求め
る。
【００８８】
Ｓ（ＳＴＥＰ）７；
補助記憶装置から第１の対応表を読み出して、この第１の対応表と、求めた白の２値化画素数とを対照することにより、ワーク５の防眩性レベルを評価し、ＳＴＥＰ１３に進む。
【００８９】
Ｓ（ＳＴＥＰ）８；
補助記憶装置から閾値（１）を読み出して、この閾値（１）で、照明が写り込んだワーク５の検査エリア内の画像を２値化する。
【００９０】
Ｓ（ＳＴＥＰ）９；
補助記憶装置から閾値（２）を読み出して、この閾値（２）で、照明が写り込んだワーク５の検査エリア内の画像を２値化する。
【００９１】
Ｓ（ＳＴＥＰ）１０；
閾値（２）で２値化した２値化画像から閾値（１）で２値化した２値化画像を引いた差の２値化画像を求める。
【００９２】
Ｓ（ＳＴＥＰ）１１；
求めた差の２値化画像から、白の２値化画素数を求める。
【００９３】
Ｓ（ＳＴＥＰ）１２；
補助記憶装置から第２の対応表を読み出して、この第２の対応表と、求めた白の２値化画素数とを対照することにより、ワーク５の防眩性レベルを評価する。
【００９４】
Ｓ（ＳＴＥＰ）１３；
補助記憶装置から、規格下限の防眩性レベルの値と規格上限の防眩性レベルの値とを読み出し、これら規格下限の値、規格上限の値を、それぞれ、評価して得られたワーク５の防眩性レベルと比較して、ワーク５が規格内でＯＫであるか規格外でＮＧであるかを判定する。
【００９５】
Ｓ（ＳＴＥＰ）１４；
ワーク５の防眩性レベルの評価結果と規格内外の判定結果とを出力装置で出力するとともに補助記憶装置に保存する。
【符号の説明】
【００９６】
１…樹脂製ローレットネジ
２…ワーク押さえ上板
３…ワーク押さえ下板
４…ステージ
５…ワーク
６…カメラ
７…照明装置
８…データ処理装置
９…ボックス
１０…扉
１１…中心部のくり抜き
Ａ…穴
Ａ’…穴
Ｂ…穴
Ｂ’…穴
Ｃ…ピン
Ｃ’…穴
【図２】
2015175821.tif 000003
【図３】
2015175821.tif 000004
【図１０】
2015175821.tif 000005
【図１１】
2015175821.tif 000006
【図１４】
2015175821.tif 000007
【図１６】
2015175821.tif 000008
【図１７】
2015175821.tif 000009
【図１８】
2015175821.tif 000010
【図１９】
2015175821.tif 000011
【図１】
2015175821.tif 000012
【図４】
2015175821.tif 000013
【図５】
2015175821.tif 000014
【図６】
2015175821.tif 000015
【図７】
2015175821.tif 000016
【図８】
2015175821.tif 000017
【図９】
2015175821.tif 000018
【図１２】
2015175821.tif 000019
【図１３】
2015175821.tif 000020
【図１５】
2015175821.tif 000021